(57)【特許請求の範囲】
【請求項１】
分析装置に、複数の試薬メーカの取扱う試薬についてのパラメータを検査項目毎に登録する試薬据付方法において、
該試薬据付方法に使用される処理装置は、前記複数の試薬メーカの取扱う試薬についての試薬別パラメータを入力して試薬別パラメータを登録するパラメータ登録機構と、分析装置別仕様に対応して試薬についての試薬別パラメータを対応づけて一括して記憶したデータベースと、該データベースに記憶した試薬についての試薬別パラメータとの対応関係から分析装置別仕様に対応してパラメータセット処理を行う仕様−パラメータ対応機構とを有して、複数の分析装置についてそれぞれのデータ測定作業のための一括したパラメータ登録を行うこと
を特徴とする分析装置の試薬据付方法。
【請求項２】
請求項１において、
一括登録した分析装置別仕様に対応する試薬別パラメータに基づいて複数の試薬メーカの取扱う試薬を使用して一連のデータ測定を行うこと
を特徴とする分析装置への試薬据付方法。
【請求項３】
請求項２において、
一連のデータ測定の後に、直ちに一連の結果報告を作成することを特徴とする分析装置への試薬据付方法。
【請求項４】
分析装置に、複数の試薬メーカの取扱う試薬についてのパラメータを検査項目毎に登録する試薬据付を行う分析装置の立ち上げ支援方法において、
該試薬据付方法に使用される処理装置は、前記複数の試薬メーカの取扱う試薬についての試薬別パラメータを入力して試薬別パラメータを登録するパラメータ登録機構と、分析装置別仕様に対応して試薬についての試薬別パラメータを対応づけて一括して記憶したデータベースと、該データベースに記憶した試薬についての試薬別パラメータとの対応関係から分析装置別仕様に対応してパラメータセット処理を行う仕様−パラメータ対応機構とを有して、複数の分析装置についてそれぞれのデータ測定作業のための一括したパラメータ登録を行うこと
を特徴とする分析装置の立ち上げ支援方法。
【請求項５】
請求項４において、
一括登録した分析装置別仕様に対応する試薬別パラメータに基づいて複数の試薬メーカの取扱う試薬を使用して一連のデータ測定を行うこと
を特徴とする分析装置の立ち上げ支援方法。
【請求項６】
分析装置に、複数の試薬メーカの取扱う試薬についてのパラメータを検査項目毎に登録する試薬据付装置において、
前記複数の試薬メーカの取扱う試薬についての試薬別パラメータを入力して試薬別パラメータを登録するパラメータ登録機構と、分析装置別仕様に対応して試薬についての試薬別パラメータを対応づけて一括して記憶したデータベースと、該データベースに記憶した試薬についての試薬別パラメータとの対応関係から分析装置別仕様に対応してパラメータセット処理を行う仕様−パラメータ対応機構とを有して、複数の分析装置についてそれぞれのデータ測定作業のための一括したパラメータ登録を行う処理装置を備えること
を特徴とする分析装置の試薬据付装置。
【請求項７】
請求項６において、
一括登録した分析装置別仕様に対応する試薬別パラメータに基づいて複数の試薬メーカの取扱う試薬を使用して一連のデータ測定を行うデータ測定手段と
を有することを特徴とする分析装置への試薬据付処理装置。
【請求項８】
請求項７において、
一連のデータ測定の後に、直ちに一連の結果報告を作成する結果報告作成手段とを有することを特徴とする分析装置への試薬据付処理装置。
【請求項９】
分析装置に、複数の試薬メーカの取扱う試薬についてのパラメータを検査項目毎に登録する試薬据付を行う分析装置の立ち上げ支援装置において、
前記複数の試薬メーカの取扱う試薬についての試薬別パラメータを入力して試薬別パラメータを登録するパラメータ登録機構と、分析装置別仕様に対応して試薬についての試薬別パラメータを対応づけて一括して記憶したデータベースと、該データベースに記憶した試薬についての試薬別パラメータとの対応関係から分析装置別仕様に対応してパラメータセット処理を行う仕様−パラメータ対応機構とを有して、複数の分析装置についてそれぞれのデータ測定作業のための一括したパラメータ登録を行う処理装置を備えること
を特徴とする分析装置の立ち上げ支援装置。
【発明の詳細な説明】
【０００１】
【発明の属する技術分野】
本発明は、分析装置への試薬据付方法および試薬据付処理装置に関する。
【０００２】
【従来の技術】
分析装置を立ち上げ、使用に供するために、複数の試薬メーカの取扱う試薬について試薬パラメータを検査項目毎に分析装置に登録する、いわゆる試薬据付、すなわち試薬パラメータ据付が行われる。
【０００３】
従来、この試薬据付のための作業は、パラメータ登録，データ測定，結果報告なるＡ社試薬据付作業の次に、同じステップを繰り返すＢ社試薬据付作業、その次にＣ社試薬据付作業を行うことがなされて来た。
【０００４】
【発明が解決しようとする課題】
前述したように従来方式による試薬据付作業は試薬メーカ毎に別個に実施して行くものであったので試薬据付作業時間は長くなり、その分分析装置の立ち上げが遅れるばかりでなく、ユーザにとってその段取りは面倒なものであった。
【０００５】
本発明は、かかる点に鑑み複数の試薬メーカが関与する分析装置への試薬据付であっても全体の試薬据付作業時間を短縮し、以って分析装置の立ち上げを簡便に早めることの出来る方法および装置を提供することを目的とする。
【０００６】
【課題を解決するための手段】
本発明は、次に掲げる方法および装置を提供する。
【０００７】
本発明は、分析装置に、複数の試薬メーカの取扱う試薬についてのパラメータを検査項目毎に登録する試薬据付方法において、前記複数の試薬メーカの取扱う試薬についての試薬別パラメータを入力し、分析装置別仕様に対応して試薬別パラメータを一括して記憶媒体に記憶し、該記憶媒体を使用して、一括した分析装置別仕様に対応する試薬別パラメータを当該分析装置に登録する分析装置への試薬据付方法を提供する。
【０００８】
本発明は、分析装置に、複数の試薬メーカの取扱う試薬についてのパラメータを検査項目毎に登録する試薬据付方法において、前記複数の試薬メーカの取扱う試薬についての試薬別パラメータを入力し、分析装置別仕様に対応して試薬別パラメータを一括して記憶媒体に記憶し、該記憶媒体を使用して、一括した分析装置別仕様に対応する試薬別パラメータを当該分析装置に登録し、一括登録した分析装置別仕様に対応する試薬別パラメータに基づいて複数の試薬メーカの取扱う試薬を使用して一連のデータ測定を行う分析装置への試薬据付方法を提供する。
【０００９】
本発明は、一連のデータ測定の後に、直ちに一連の結果報告を作成することを１つの特徴とする。
【００１０】
本発明は、分析装置に、複数の試薬メーカの取扱う試薬についてのパラメータを検査項目毎に登録する試薬据付を行う分析装置の立ち上げ支援方法において、前記複数の試薬メーカの取扱う試薬についての試薬別パラメータを入力し、分析装置別仕様に対応して試薬別パラメータを一括して記憶媒体に記憶し、該記憶媒体を使用して、一括した分析装置別仕様に対応する試薬別パラメータを当該分析装置に登録する分析装置の立ち上げ支援方法を提供する。
【００１１】
本発明は、分析装置に、複数の試薬メーカの取扱う試薬についてのパラメータを検査項目毎に登録する試薬据付方法を行う分析装置の立ち上げ支援方法において、前記複数の試薬メーカの取扱う試薬についての試薬別パラメータを入力し、分析装置別仕様に対応して試薬別パラメータを一括して記憶媒体に記憶し、該記憶媒体を使用して、一括した分析装置別仕様に対応する試薬別パラメータを当該分析装置に登録し、一括登録した分析装置別仕様に対応する試薬別パラメータに基づいて複数の試薬メーカの取扱う試薬を使用して一連のデータ測定を行う分析装置の立ち上げ支援方法を提供する。
【００１２】
本発明は、分析装置に、複数の試薬メーカの取扱う試薬についてのパラメータを検査項目毎に登録する試薬据付方法を行う分析装置の立ち上げ支援方法において、一括登録した分析装置別仕様に対応する試薬別パラメータに基づいて複数の試薬メーカの取扱う試薬を使用して一連のデータ測定を行う分析装置の立ち上げ支援方法を提供する。
【００１３】
本発明は、分析装置に、複数の試薬メーカの取扱う試薬についてのパラメータを検査項目毎に登録する試薬据付処理装置において、前記複数の試薬メーカの取扱う試薬についての試薬別パラメータを入力する入力手段と、分析装置別仕様に対応して試薬別パラメータを一括して記憶する記憶媒体と、該記憶媒体を使用して、一括した分析装置別仕様に対応する試薬別パラメータを当該分析装置に登録する登録手段とを有する分析装置への試薬据付処理装置を提供する。
【００１４】
本発明は、分析装置に、複数の試薬メーカの取扱う試薬についてのパラメータを検査項目毎に登録する試薬据付処理装置において、前記複数の試薬メーカの取扱う試薬についての試薬別パラメータを入力する入力手段と、分析装置別仕様に対応して試薬別パラメータを一括して記憶する記憶媒体と、該記憶媒体を使用して、一括した分析装置別仕様に対応する試薬別パラメータを当該分析装置に登録する登録手段と、一括登録した分析装置別仕様に対応する試薬別パラメータに基づいて複数の試薬メーカの取扱う試薬を使用して一連のデータ測定を行うデータ測定手段と有する試薬据付処理装置を提供する。
【００１５】
【発明の実施の形態】
以下、本発明にかかる実施例を図面に基づいて説明する。
【００１６】
図１は、本発明の実施例である試薬据付方法を示す。
【００１７】
本発明の実施例には試薬メーカ１，試薬・装置サービス業者２および顧客（検査室）３が関与する。
【００１８】
試薬メーカ１は、複数の試薬メーカＡ，Ｂ，Ｃからなり、これらの試薬メーカＡ，Ｂ，Ｃの取扱う試薬についての試薬パラメータ１１，１２，１３が並行して伝達回路１４，１５，１６である通信回線あるいはフロッピーディスクの形で試薬・装置サービス業者２に伝達される。試薬・装置サービス業者２は、分析装置メーカによって製造された分析装置２１への試薬据付２２を依頼（発注）される。
【００１９】
試薬・装置サービス業者２は、伝達された試薬パラメータ１１〜１３の一括して記憶媒体（後述）に記憶する。該記憶媒体を使用して、一括した分析装置別仕様に対応する試薬別のパラメータを当該分析装置２１に登録し、試薬据付を完了させる。この登録は、分析装置メーカの納入前分析装置もしくは顧客（ユーザ）に納入された分析装置について行われる。
【００２０】
顧客３の検査室には、立ち上げられた分析装置３１が設置されることになる。
【００２１】
図２は、分析装置の立ち上げを従来方式との比較で示す。従来方式にあっては、試薬メーカＡ，Ｂ，Ｃの試薬パラメータを記録するフロッピーディスクＡ，Ｂ，Ｃ（フロッピーディスク３２）を顧客からのスケジュールに従って順次顧客のＸ装置（分析装置）３３に登録することが行われて来た。この場合、Ｘ装置３３の検査項目１にＡ社（試薬メーカＡ）の項目１，検査項目２にＢ社の項目２，検査項目３に社の項目３，検査項目５にＢ社の項目５，検査項目７にＣ社の項目７，検査項目８にＣ社の項目８が対応するようにして順次登録されていた。
【００２２】
本発明の実施例にあっては、Ａ社，Ｂ社，Ｃ社の各項はフロッピーディスクＡ，Ｂ，Ｃ（フロッピーディスク３４）によって処理装置３５に並行して伝達され、顧客Ｘ用パラメータ記録フロッピーディスク３６として作成され各項目のフロッピーディスクへの一括処理３７である記録がなされる。
【００２３】
顧客Ｘ用パラメータ記録フロッピーディスク３６を使用して、顧客Ｘの装置３３への試薬パラメータの一括登録がなされる。
【００２４】
上記の例にあっては、フロッピーディスク形式によって顧客Ｘの装置３３への試薬パラメータの一括登録を行っているが、ネット化された回線によって一括登録を行うようにしてもよい。
【００２５】
図３は、処理装置３５の詳細を示す図である。
【００２６】
処理装置３５は、パラメータ登録機構４１，データベース４２，仕様−パラメータ対応機構４３，顧客−パラメータセット処理手段４４を有する。
【００２７】
前述したように、試薬メーカＡ，Ｂ，Ｃからそれぞれの試薬のパラメータが試薬・装置サービス業者２の処理装置３５のパラメータ登録機構４１に並行して一括登録される。
【００２８】
データベース４２は、顧客Ｘ，Ｙ，Ｚの顧客仕様４５、例えばＸ−ａｂｃ，Ｙ−ｄｅｆを記録すると共に、試薬別パラメータ４６、例えばＡ−１００１，Ｂ−１００２，Ｃ−１００３を記録する。
【００２９】
仕様−パラメータ対応機構４３は、顧客別仕様４５と試薬別パラメータ４６の対応関係を取り、顧客：Ｘにはパラメータセット１をそして顧客：Yにはパラメータセット２を行う処理がなされる。
【００３０】
図４は、一括登録によって顧客：Ｘの装置に表示される画面を示す。
【００３１】
図において、画面５１には検査項目名称５２，試薬メーカ名称５３，項目コード５４が表示される。
【００３２】
図５は、従来方式と本発明（の実施例）利用方式の試薬据付作業時間の比較を示す。図に示すように、従来方式にあっては、Ａ社試薬据付作業がパラメータ登録→データ測定→結果報告の順でなされ、次いでＢ社試薬据付作業がパラメータ登録→データ測定→結果報告の順でなされ、次いでＣ社試薬据付作業がパラメータ登録→データ測定→結果報告の順でなされ、確実に複数の試薬メーカの倍数の時間を要する。
【００３３】
これに対して本発明利用方式にあっては、前述のように、フロッピーディスクに一括してＡ，Ｂ，Ｃ社の試薬別のパラメータが記録され、一括した登録が行われるのでパラメータ登録→データ測定，結果報告のそれぞれの一連の作業はそれぞれ連続してなされるので、一連の作業自体は長くなるとしても、試薬据付作業間における各操作に要するトータル時間はそれぞれ短くなり、全体として図に示すように短かくて済む。また、顧客にとってスケジュールして各試薬メーカに順次それぞれのパラメータを登録させるというわずらわしさがなくなる。
【００３４】
図６は、従来方式と本発明（の実施例）利用方式のデータ測定作業時間の比較を示す。図に示すように、従来方式にあっては、Ａ社データ測定作業が準備動作→Ａ社試料測定→終了動作の順でなされ、次いでＢ社データ測定作業が同様の順でなされ、次いでＣ社データ測定作業が同様の順でなされ、確実に複数の試薬メーカの倍数の時間を要する。
【００３５】
これに対して本発明利用方式にあっては、前述のように、フロッピーディスクに一括してＡ，Ｂ，Ｃ社の試薬別のパラメータが記録され、一括した登録が行われるので、Ａ，Ｂ，Ｃ社のデータ測定作業は、準備動作→Ａ社試料測定→Ｂ社試料測定→Ｃ社試料測定→終了動作のようにして一括して行われ、時間短縮がなされる。
【００３６】
試薬・装置サービス業者２は、試料据付作業および早期の分析装置の立ち上げに対する対価を試薬メーカもしくは／および顧客に請求することになる。
【００３７】
【発明の効果】
以上のように本発明によれば、パラメータの一括記録，一括登録を行うようにしているので、複数の試薬メーカが関与する分析装置への試薬据付であっても、全体の試薬据付作業時間を短縮し、以って分析装置の立ち上げを簡便に早めることができるようになる。
【００３８】
また、各社の試料についてのデータ測定を一連のデータ測定とすることができるので試薬据付作業時間を短縮することができる。
【００３９】
更に、顧客にとっても試薬・装置サービス業者に一括した試薬据付作業を依頼（発注）することができ、分析装置の立ち上げのためのわずらわしい作業から開放される。
【図面の簡単な説明】
【図１】本発明の実施例である試薬据付方法を示す図。
【図２】分析装置の立ち上げと従来方式との比較図。
【図３】処理装置の詳細図。
【図４】顧客Ｘの装置に表示される画面図。
【図５】従来方式と本発明利用方式の試薬据付作業時間の比較図。
【図６】従来方式と本発明利用方式のデータ測定作業時間の比較図。
【符号の説明】
１…試薬メーカ、２…試薬・装置サービス業者、３…顧客（検査室）、１１，１２，１３…試料パラメータ、１４，１５，１６…伝達回路、２２…試薬据付、２３…分析装置、３１…立ち上げられた分析装置、３２，３４…フロッピーディスク、３３…顧客：Ｘの装置（分析装置）、３５…処理装置、３６…顧客Ｘ用パラメータ記録フロッピーディスク、３７…一括処理、４１…パラメータ登録機構、４２…データベース、４３…仕様−パラメータ対応機構、４４…顧客→パラメータセット手段。
【図１】
0003650585.tif 000002
【図２】
0003650585.tif 000003
【図３】
0003650585.tif 000004
【図４】
0003650585.tif 000005
【図５】
0003650585.tif 000006
【図６】
0003650585.tif 000007